(57)【要約】【課題】手描きした記号が意図しない意味に解釈される事態を防ぐ。【解決手段】取得部１１１は、描画者（第１利用者）により行われた描画を示す描画情報を取得する。特定部１１３は、描画者により行われた描画を見る参加者（第２利用者）を特定する。抽出部１１２は、取得部１１１が取得した描画情報から、決められた禁止図（第１記号）に類似する画像が描かれた領域を抽出する。出力部１１４は、抽出部１１２により抽出された領域を特定する情報を出力する。【選択図】図９
2018163442.tif 000002
【特許請求の範囲】
【請求項１】
第１利用者により行われた描画を示す描画情報を取得する取得部と、
前記描画情報から、決められた第１記号に類似する画像が描かれた領域を抽出する抽出部と、
抽出された前記領域を特定する情報を出力する出力部と、
を有する情報処理装置。
【請求項２】
前記描画を見る第２利用者を特定する特定部を有し、
前記抽出部は、特定された前記第２利用者に応じて決められた前記第１記号に類似する前記領域を抽出する
ことを特徴とする請求項１に記載の情報処理装置。
【請求項３】
前記出力部は、抽出された前記領域に前記第１記号と異なる第２記号を出力する
ことを特徴とする請求項２に記載の情報処理装置。
【請求項４】
前記出力部は、前記第１利用者が前記第１記号を用いた意図を前記第２利用者に伝える第３記号を出力する
ことを特徴とする請求項２に記載の情報処理装置。
【請求項５】
複数の端末と、該端末のそれぞれと通信する情報処理装置とを有し、
前記情報処理装置は、
第１利用者により行われた描画を示す描画情報を取得する取得部と、
前記描画情報から、決められた第１記号に類似する画像が描かれた領域を抽出する抽出部と、
抽出された前記領域を特定する領域情報を出力する出力部と、を有し、
前記端末は、
自端末を利用する第２利用者を特定する利用者情報を前記情報処理装置に送信する送信部と、
前記出力部により出力される前記領域情報を受信する受信部と、
受信した前記領域情報に応じた画像を表示する表示部と、を有し、
前記第１記号は，複数の前記端末からそれぞれ送信された前記利用者情報に基づいて決められる
ことを特徴とする情報処理システム。
【請求項６】
コンピュータを、
第１利用者により行われた描画を示す描画情報を取得する取得部と、
前記描画情報から、決められた第１記号に類似する画像が描かれた領域を抽出する抽出部と、
抽出された前記領域を特定する情報を出力する出力部
として機能させるためのプログラム。
【発明の詳細な説明】
【技術分野】
【０００１】
本発明は、情報処理装置、情報処理システム及びプログラムに関する。
【背景技術】
【０００２】
特許文献１には、地域によって変化しない統一記号と、この統一記号と同一の意味で用いられ地域ごとに異なる記号で表現される複数の可変記号と、を関連づけて記憶しておき、統一記号と、統一記号を関連する複数の可変記号のうちいずれかに変換するための地域情報と、の指定に応じて、統一記号を該当する地域の可変記号に変換する文書作成装置が開示されている。
特許文献２には、多国語辞書を作成するための辞書作成用情報を収集するデータベース作成方法が開示されている。
【先行技術文献】
【特許文献】
【０００３】
【特許文献１】特開２００７−２１９６６１号公報
【特許文献２】特開２００２−１６３２５４号公報
【発明の概要】
【発明が解決しようとする課題】
【０００４】
本発明は、手描きした記号が意図しない意味に解釈される事態を防ぐことを目的とする。
【課題を解決するための手段】
【０００５】
上述した課題を解決するため、本発明の請求項１に係る情報処理装置は、第１利用者により行われた描画を示す描画情報を取得する取得部と、前記描画情報から、決められた第１記号に類似する画像が描かれた領域を抽出する抽出部と、抽出された前記領域を特定する情報を出力する出力部と、を有する。
【０００６】
本発明の請求項２に係る情報処理装置は、請求項１に記載の態様において、前記描画を見る第２利用者を特定する特定部を有し、前記抽出部は、特定された前記第２利用者に応じて決められた前記第１記号に類似する領域を抽出することを特徴とする。
【０００７】
本発明の請求項３に係る情報処理装置は、請求項２に記載の態様において、前記出力部は、抽出された前記領域に前記第１記号と異なる第２記号を出力することを特徴とする。
【０００８】
本発明の請求項４に係る情報処理装置は、請求項２に記載の態様において、前記出力部は、前記第１利用者が前記第１記号を用いた意図を前記第２利用者に伝える第３記号を出力することを特徴とする。
【０００９】
本発明の請求項５に係る情報処理システムは、複数の端末と、該端末のそれぞれと通信する情報処理装置とを有し、前記情報処理装置は、第１利用者により行われた描画を示す描画情報を取得する取得部と、前記描画情報から、決められた第１記号に類似する画像が描かれた領域を抽出する抽出部と、抽出された前記領域を特定する領域情報を出力する出力部と、を有し、前記端末は、自端末を利用する第２利用者を特定する利用者情報を前記情報処理装置に送信する送信部と、前記出力部により出力される前記領域情報を受信する受信部と、受信した前記領域情報に応じた画像を表示する表示部と、を有し、前記第１記号は，複数の前記端末からそれぞれ送信された前記利用者情報に基づいて決められることを特徴とする。
【００１０】
本発明の請求項６に係るプログラムは、コンピュータを、第１利用者により行われた描画を示す描画情報を取得する取得部と、前記描画情報から、決められた第１記号に類似する画像が描かれた領域を抽出する抽出部と、抽出された前記領域を特定する情報を出力する出力部として機能させるためのプログラムである。
【発明の効果】
【００１１】
請求項１、５、６に係る発明によれば、手描きした記号が意図しない意味に解釈される事態を防ぐことができる。
請求項２に係る発明によれば、描画を見る第２利用者に応じて手描きした記号が意図しない意味に解釈される事態を防ぐことができる。
請求項３に係る発明によれば、描画をした第１利用者の認識に関わらず、描画を見る第２利用者に応じて手描きした記号が意図しない意味に解釈される事態を防ぐことができる。
請求項４に係る発明によれば、描画をした第１利用者の意図が第２利用者に伝わる。
【図面の簡単な説明】
【００１２】
【図１】本実施形態に係る情報処理システム９の全体構成を示す図。
【図２】描画者端末３の構成の一例を示す図。
【図３】参加者端末２の構成を示す図。
【図４】情報処理装置１の構成を示す図。
【図５】図記号ＤＢ１２１の例を示す図。
【図６】意味ＤＢ１２２の例を示す図。
【図７】利用者ＤＢ１２３の例を示す図。
【図８】予定ＤＢ１２４の例を示す図。
【図９】情報処理装置１の機能的構成を示す図。
【図１０】情報処理装置１の動作の流れを説明するフロー図。
【図１１】情報処理システム９を利用した会議の様子を説明するための図。
【発明を実施するための形態】
【００１３】
１．実施形態
１−１．情報処理システムの全体構成
図１は、本実施形態に係る情報処理システム９の全体構成を示す図である。情報処理システム９は、ＬＡＮ（Local Area Network）及びＷＡＮ（Wide Area Network）等を形成する通信回線４と、この通信回線４に接続された情報処理装置１、参加者端末２、及び描画者端末３を有する。また、情報処理システム９の描画者端末３には、スクリーン７を撮像する撮像装置５、及びスクリーン７に画像を映写する映写装置６が接続されている。図１に示す描画者端末３は、撮像装置５及び映写装置６を制御する。
【００１４】
図１に示す描画者端末３は、通信回線４を介して情報処理装置１及び参加者端末２と接続する。描画者端末３の利用者を「描画者」ともいう。描画者は、会議において筆記具等を使ってスクリーン７に図形や記号等を描画して説明をする。
【００１５】
描画者端末３は、描画者が行った描画を例えば撮像装置５に撮像させて、その描画の内容を示す描画情報を情報処理装置１に送信する。また、描画者端末３は、情報処理装置１から出力された情報を受信し、この情報に基づく画像を映写装置６によりスクリーン７に表示させる。情報処理システム９が有する描画者端末３は図１に示す通り１つであってもよいし、複数であってもよい。
【００１６】
図１に示す参加者端末２は、描画者端末３から情報処理装置１に送信された描画情報が示す画像であって、予め決められた条件に基づいて情報処理装置１により加工された画像を表示画面に表示する端末である。参加者端末２の利用者を「参加者」ともいう。参加者とは、参加者端末２を利用してこの参加者端末２で表示される画像を見て会議に参加する利用者である。情報処理システム９が有する参加者端末２は図１に示す通り、複数であってもよいし１つであってもよい。
【００１７】
図１に示す情報処理装置１は、描画者端末３が撮像装置５に撮像させた、描画者の描画を示す描画情報を取得し、その描画情報から決められた記号に類似する画像が描かれた領域を抽出して、その領域を特定する情報を出力する装置である。情報処理システム９が有する情報処理装置１は図１に示す通り１つであってもよいし、複数であってもよい。
【００１８】
１−２．描画者端末の構成
図２は、描画者端末３の構成の一例を示す図である。描画者端末３は、制御部３１、記憶部３２、通信部３３、表示部３４、操作部３５、及び接続部３６を有する。
【００１９】
制御部３１は、ＣＰＵ（Central Processing Unit）、ＲＯＭ（Read Only Memory）、ＲＡＭ（Random Access Memory）を有し、ＣＰＵがＲＯＭや記憶部３２に記憶されているコンピュータプログラム（以下、単にプログラムという）を読み出して実行することにより描画者端末３の各部を制御する。
【００２０】
記憶部３２は、ソリッドステートドライブ、ハードディスクドライブ等の大容量の記憶手段であり、制御部３１のＣＰＵに読み込まれる各種のプログラムを記憶する。
【００２１】
通信部３３は、無線又は有線により通信回線４に接続する通信回路である。描画者端末３は、通信部３３により通信回線４を介して情報処理装置１及び参加者端末２と情報を遣り取りする。
【００２２】
操作部３５は、各種の指示をするための操作ボタン等の操作子を備えており、利用者による操作を受付けてその操作内容に応じた信号を制御部３１に供給する。また、操作部３５は、利用者の指やスタイラスペン等の操作体の接触又は圧力等を検知するタッチパネルを有していてもよい。
【００２３】
表示部３４は、液晶ディスプレイを有しており、制御部３１の制御の下、画像を表示する。表示部３４の液晶ディスプレイの上には、操作部３５の透明のタッチパネルが重ねて配置されてもよい。
【００２４】
なお、描画者端末３は、例えば通信回線４を介して外部の操作端末から操作を受付けてもよい。外部の操作端末から操作を受付ける場合、描画者端末３には操作部３５を有しなくてもよい。また、描画者端末３は、表示部３４を有しなくてもよい。
【００２５】
接続部３６は、撮像装置５及び映写装置６に接続するインタフェースであり、制御部３１からの制御信号をこれらの外部装置に伝達するとともに、外部装置から出力信号を受付ける。
【００２６】
１−３．参加者端末の構成
図３は、参加者端末２の構成を示す図である。参加者端末２は、制御部２１、記憶部２２、通信部２３、表示部２４、及び操作部２５を有する。
【００２７】
制御部２１は、ＣＰＵ、ＲＯＭ、ＲＡＭを有し、ＣＰＵがＲＯＭや記憶部２２に記憶されているプログラムを読み出して実行することにより参加者端末２の各部を制御する。
【００２８】
記憶部２２は、ソリッドステートドライブ、ハードディスクドライブ等の大容量の記憶手段であり、制御部２１のＣＰＵに読み込まれる各種のプログラムを記憶する。
【００２９】
通信部２３は、無線又は有線により通信回線４に接続する通信回路である。参加者端末２は、通信部２３により通信回線４を介して情報処理装置１及び描画者端末３と情報を遣り取りする。
【００３０】
操作部２５は、各種の指示をするための操作ボタン等の操作子を備えており、参加者による操作を受付けてその操作内容に応じた信号を制御部２１に供給する。また、操作部２５は、参加者の指やスタイラスペン等の操作体を検知するタッチパネルを有していてもよい。
【００３１】
表示部２４は、液晶ディスプレイ等の表示画面を有しており、制御部２１の制御の下、画像を表示する。表示部２４の表示画面の上には、操作部２５の透明のタッチパネルが重ねて配置されてもよい。
【００３２】
制御部２１は、情報処理装置１から画像を示す画像データを受信して、その画像データが示す画像を表示部２４に表示してもよい。例えば情報処理装置１は、描画者端末３が撮像装置５に撮像させたスクリーン７の画像を示す画像データを取得する。そして、情報処理装置１は、取得した画像データを加工して参加者端末２に送信すると、参加者端末２の制御部２１は、受信したその画像データによって示される画像を表示部２４に表示させる。これにより、描画者がスクリーン７に描画した図記号が情報処理装置１により加工されて複数の参加者端末２のそれぞれに伝えられ、参加者はその図記号を見る。
【００３３】
１−４．情報処理装置の構成
図４は、情報処理装置１の構成を示す図である。情報処理装置１は、制御部１１、記憶部１２、及び通信部１３を有する。また、情報処理装置１は、図４に破線で示す表示部１４、及び操作部１５を有してもよい。
【００３４】
制御部１１は、ＣＰＵ、ＲＯＭ、ＲＡＭを有し、ＣＰＵがＲＯＭや記憶部１２に記憶されているプログラムを読み出して実行することにより情報処理装置１の各部を制御する。
【００３５】
通信部１３は、無線又は有線により通信回線４に接続する通信回路である。情報処理装置１は、通信部１３により通信回線４を介して参加者端末２及び描画者端末３と情報を遣り取りする。
【００３６】
操作部１５は、各種の指示をするための操作ボタン等の操作子を備えており、利用者による操作を受付けてその操作内容に応じた信号を制御部１１に供給する。また、操作部１５は、利用者の指やスタイラスペン等の操作体を検知するタッチパネルを有していてもよい。
【００３７】
表示部１４は、液晶ディスプレイ等の表示画面を有しており、制御部１１の制御の下、画像を表示する。表示部１４の表示画面の上には、操作部１５の透明のタッチパネルが重ねて配置されてもよい。
【００３８】
記憶部１２は、ハードディスクドライブ等の大容量の記憶手段であり、制御部１１のＣＰＵに読み込まれる各種のプログラムを記憶する。また、記憶部１２は、図記号ＤＢ１２１、意味ＤＢ１２２、利用者ＤＢ１２３、及び予定ＤＢ１２４を記憶する。
【００３９】
図５は、図記号ＤＢ１２１の例を示す図である。図記号ＤＢ１２１は、図を描画する際に用いられる様々な記号（図記号という）を記憶するデータベースである。図５に示す通り、図記号ＤＢ１２１には、各種の図記号を識別する識別情報である「図記号ＩＤ」と、その図記号を示すデータとが対応付けて記憶される。
【００４０】
図５に示す例で、例えば、図記号ＤＢ１２１には、図記号ＩＤ「Ｇ０１」には、十字型の図記号が対応付けて記憶されている。
【００４１】
図６は、意味ＤＢ１２２の例を示す図である。意味ＤＢ１２２は、文化圏ごとに図記号がどのような意味に解釈されるかを記憶するデータベースである。図６に示す通り、意味ＤＢ１２２には、様々な国や宗教、民族、イデオロギー、言語、慣習等に基づいた文化圏を識別する識別情報である「文化圏ＩＤ」と、上述した様々な図記号の識別情報である「図記号ＩＤ」との組合せごとに、その図記号ＩＤで識別される図記号が、その文化圏ＩＤで識別される文化圏に属する人物に、不快な感情又は誤解を与えるために出力すべきでない図記号（以下「禁止図」ともいう）であるか否かが記述されている。図６に示す例では、禁止図には「×」が記されている。
【００４２】
記憶部１２は、この禁止図を出力する代わりに出力させるための標準の図（「標準代替図」という）を記憶している。標準代替図は、禁止図と異なる図記号であって、どの文化圏でも不快な感情を与えたり、誤解されたりする虞がない図である。標準代替図は、単なる黒塗りの画像であってもよい。また、標準代替図は、対象とする禁止図の画素数又は階調を減らして生成されてもよいし、モザイク処理により生成されてもよい。標準代替図は、禁止図（第１記号）と異なる図記号（第２記号）であればよい。
【００４３】
また、或る図記号は、或る文化圏に属する人物に或る意味に解釈されるが、他の文化圏に属する人物に別の意味に解釈されることがある。意味ＤＢ１２２には、「文化圏ＩＤ」と「図記号ＩＤ」との組合せごとに、その文化圏ＩＤが示す文化圏における、その図記号ＩＤの図記号の意味が、それぞれの識別情報（意味ＩＤという）で記憶されている。
【００４４】
例えば、描画者が描いた図記号の意味が、その描画者の属する文化圏と、参加者の属する文化圏とで異なる場合がある。このとき、情報処理装置１は、描画者が描いたこの図記号を禁止図として取扱い、意味ＩＤに基づいて禁止図に対応する代替図を検索する。具体的には、情報処理装置１の制御部１１は、その禁止図について、描画者の属する文化圏における意味を特定し、参加者の文化圏において共通の意味を示す図記号を検索する。検索した図記号が見つかった場合、制御部１１は、その図記号を代替図として利用する。
【００４５】
図６に示す例で、例えば、意味ＤＢ１２２には、文化圏ＩＤ「Ｃ１１」の文化圏（例えば日本）において、図記号ＩＤ「Ｇ０１」の図記号は、意味ＩＤ「Ｍ２１」で示される意味（救急治療、医療機関）に解釈されるが、文化圏ＩＤ「Ｃ１３」の文化圏（イスラム文化圏）において、意味ＩＤ「Ｍ２１」で示される意味に解釈される図記号は図記号ＩＤ「Ｇ０２」の図記号である。また、文化圏ＩＤ「Ｃ１４」の文化圏（ギリシャ）において、意味ＩＤ「Ｍ２１」で示される意味に解釈される図記号は図記号ＩＤ「Ｇ０３」の図記号である。
【００４６】
具体的には、日本では十字形の図記号が救急治療又は医療機関を意図して描かれることが多いが、救急治療又は医療機関を示す記号は、イスラム文化圏においては三日月形の図記号であり、ギリシャにおいては縦の線に対してそれぞれ斜めに交差する２本の線を重ねた図記号である。
【００４７】
例えば、日本人の描画者が図記号ＩＤ「Ｇ０１」で示される「十字形」の図記号を用いて説明した場合、情報処理装置１の制御部１１は、イスラム文化圏に属する参加者がいることを特定すると、その参加者に向けた代替図として、図記号ＩＤ「Ｇ０２」で示される「三日月形」の図記号を決定する。
【００４８】
なお、上述した代替図は、禁止図と異なる図記号であり上述した第２記号に含まれる図記号であるが、さらに、描画者（第１利用者）が禁止図（第１記号）を用いた意図を参加者（第２利用者）に伝える図記号（第３記号）である。
【００４９】
図７は、利用者ＤＢ１２３の例を示す図である。利用者ＤＢ１２３は、参加者端末２及び描画者端末３の利用者、つまり参加者及び描画者を識別する識別情報である「利用者ＩＤ」と、その利用者の属する文化圏の識別情報である「文化圏ＩＤ」とが対応付けて記憶されている。
【００５０】
図７に示す例で、例えば、利用者ＤＢ１２３には、利用者ＩＤ「Ｕ３１」の利用者は、文化圏ＩＤ「Ｃ１１」の文化圏に属していることが示されている。利用者が複数の文化圏に属している場合も利用者ＤＢ１２３に記憶される。例えば、図７に示す利用者ＤＢ１２３には、利用者ＩＤ「Ｕ３４」の利用者は、文化圏ＩＤ「Ｃ１２」の文化圏に属しているとともに、文化圏ＩＤ「Ｃ１４」の文化圏にも属していることが記憶されている。
【００５１】
図８は、予定ＤＢ１２４の例を示す図である。予定ＤＢ１２４は、利用者の「利用者ＩＤ」と、その利用者が参加又は説明をする会議の日時とを対応付けて記憶するデータベースである。
【００５２】
１−５．情報処理装置の機能的構成
図９は、情報処理装置１の機能的構成を示す図である。図９に示す情報処理装置１の制御部１１は、記憶部１２に記憶されたプログラムを実行することにより、取得部１１１、抽出部１１２、特定部１１３、及び出力部１１４として機能する。
【００５３】
取得部１１１は、描画者（第１利用者）により行われた描画を示す描画情報を取得する。この描画情報は、通信回線４及び通信部１３を介して描画者端末３から送信される。取得部１１１は、描画者端末３に対して描画情報を要求し、この要求に応じて描画者端末３が送信する描画情報を取得してもよい。また、取得部１１１は、描画者端末３が自発的に送信する描画情報を取得してもよい。
【００５４】
特定部１１３は、描画者により行われた描画を見る参加者（第２利用者）を特定する。特定部１１３は、予定ＤＢ１２４を参照して、取得部１１１が取得した描画情報により示される描画がされている会議に参加している参加者を特定する。なお、特定部１１３は、通信回線４及び通信部１３を介して参加者端末２から参加者の利用者ＩＤを受信し、それぞれの参加者を特定してもよい。この場合、情報処理装置１は、予定にない参加者の変化を把握する。
【００５５】
抽出部１１２は、取得部１１１が取得した描画情報から、決められた第１記号に類似する画像が描かれた領域を抽出する。描画情報が示す描画と、第１記号とが閾値を超えて類似しているか否かは様々なアルゴリズムによって判定される。抽出部１１２は、例えば、描画情報が示す描画内容及び第１記号をそれぞれの形状の特徴が反映される方法で、多次元空間におけるベクトル等に変換する数値化を行い、それぞれ変換された数値同士の距離を決められた方法で算出してもよい。描画と第１記号との距離の算出にはユークリッド距離、ハミング距離、等を採用してもよい。
【００５６】
なお、描画情報は、画像に限られず、例えば、描画動作（ストローク）の履歴であってもよい。描画動作を用いる場合、抽出部１１２は、描画したタイミングが連続した複数のストロークを一連の記号を描画するためのストローク群として解釈して、ストローク群ごとにそれぞれの記号を区別してもよい。
【００５７】
さらに描画動作には、描画そのものの動作に加えて、描画前後の動作を含んでいてもよい。例えば、描画者端末３は、人感センサや感圧床板等と接続し、描画者がスクリーン７の前に立った期間を特定してもよい。また、描画者端末３は、操作部３５により描画者から１つの図記号を描く期間の前後にその旨を示す操作を受付けてもよい。情報処理装置１は、この期間の区切りを示す情報を描画者端末３から取得して、期間ごとに描かれたそれぞれの記号を区別してもよい。
【００５８】
また、描画情報は、描画者が描いた図記号の形状に限られず、その色や線幅の情報を含んでいてもよい。また、描画情報は、図記号の周囲に描いた文字列の情報を含んでいてもよい。抽出部１１２は、描画情報のうち図記号の周囲に描かれた文字列を検出するとその文字列に対して文字認識処理を行ってその意味を特定し、特定したその意味を、その文字列に隣接して描かれた図記号の意味として解釈してもよい。抽出部１１２は、この解釈した意味に基づいて、描かれた図記号と禁止図（第１記号）とが類似するか否かを判断すればよい。
【００５９】
第１記号は、特定部１１３により特定された参加者に応じて決められる。特定部１１３は、参加者それぞれの利用者ＩＤとともに、利用者ＤＢ１２３を参照して、参加者がそれぞれ属している文化圏を特定し、その文化圏ＩＤを抽出部１１２に伝える。抽出部１１２は、参加者の属している文化圏を示す文化圏ＩＤをそれぞれ受取ると、意味ＤＢ１２２を参照して、それらの文化圏において出力すべきでない禁止図（第１記号）を決定し、この第１記号と、描画情報が示す画像とが類似しているか否かを判断する。
【００６０】
出力部１１４は、抽出部１１２により抽出された領域を特定する情報を出力する。この出力は例えば、通信部１３を介して描画者端末３に送られる制御信号であってもよい。この制御信号を受信した描画者端末３は、例えば、映写装置６を制御して受信した制御信号に応じた画像をスクリーン７に映写してもよい。また、描画者端末３は、受信した制御信号に応じた画像を表示部３４に表示してもよい。
【００６１】
なお、情報処理装置１が表示部１４を有する場合、出力部１１４は、抽出部１１２により抽出された領域を特定する情報を表示部１４に表示してもよい。
【００６２】
１−６．情報処理装置の動作
図１０は、情報処理装置１の動作の流れを説明するフロー図である。情報処理装置１の制御部１１は、参加者端末２及び描画者端末３のそれぞれの利用者及びその属する文化圏を特定し（ステップＳ１０１）、参加者の文化圏に基づいて禁止図を特定する（ステップＳ１０２）。
【００６３】
制御部１１は、描画者端末３から描画情報を取得すると（ステップＳ１０３）、取得した描画情報に基づく描画の内容に、上述した禁止図（第１記号）と類似する画像が描かれた領域があるか否かを判定する（ステップＳ１０４）。この領域がないと判断する場合（ステップＳ１０４；ＮＯ）、制御部１１は制御を後述するステップＳ１１０に進める。一方、取得した描画情報から禁止図と類似する画像が描かれた領域があると判断する場合（ステップＳ１０４；ＹＥＳ）、制御部１１は、この領域を抽出する（ステップＳ１０５）。
【００６４】
制御部１１は、上述した領域を抽出した場合、標準代替図を準備し（ステップＳ１０６）、参加者の文化圏に応じた代替図があるか否かを判断する（ステップＳ１０７）。代替図があると判断した場合（ステップＳ１０７；ＹＥＳ）、制御部１１は、この代替図を特定し（ステップＳ１０８）、上述した領域を特定する情報とともに出力する（ステップＳ１０９）。一方、代替図がないと判断した場合（ステップＳ１０７；ＮＯ）、制御部１１は、準備した標準代替図を上述した領域を特定する情報とともに出力する。
【００６５】
図１１は、情報処理システム９を利用した会議の様子を説明するための図である。図１１（ａ）に示す例において、スクリーン７はホワイトボードであり、描画者はこのスクリーン７にホワイトボード用のマーカーで文字や図記号を描画する。描画者端末３には撮像装置５と映写装置６とが接続されており、これらの装置は描画者端末３によって制御されている。撮像装置５はスクリーン７を撮像して撮像データを描画者端末３に送り、描画者端末３は撮像データに基づいて描画者がどのような描画動作をしたかを示す描画情報を生成する。
【００６６】
図９に示す情報処理装置１の制御部１１によって実現する取得部１１１が、描画者端末３から描画情報を取得すると、抽出部１１２は、この描画情報の中から図５に示した図記号ＩＤ「Ｇ０４」で示される図記号に類似する図形が描かれた領域を抽出する。図記号ＩＤ「Ｇ０４」で示される図記号は六芒星等と呼ばれる記号であり、文化圏ＩＤ「Ｃ１２」の文化圏（アメリカ・イギリス文化圏）、及び文化圏ＩＤ「Ｃ１３」の文化圏（イスラム文化圏）では特別な意味に解釈されるため、禁止図である。一方、描画者は例えば日本人であり、単にこの図形を隣接する文字列の強調のために描いている。
【００６７】
情報処理装置１は、六芒星の代替図として五芒星の図記号を決定し、特定した領域に向けて映写する指示を示す制御信号を、通信回線４を介して描画者端末３に出力する。描画者端末３は映写装置６を制御して情報処理装置１の指示に応じた五芒星の図記号をスクリーン７に映写する。これにより、図１１（ｂ）に示す通り、六芒星が描かれた領域Ｒには、アメリカ・イギリス文化圏及びイスラム文化圏の参加者にとっても特別な意味を持たない五芒星が映写される。これを見た描画者は、自身の描いた六芒星が禁止図であることに気づいてその六芒星を消し、代わりに映写された五芒星をなぞって描画する。
【００６８】
なお、上述した情報処理装置１は、描画の途中で描画者が描こうとしている図記号が禁止図に類似するか否かを判断しているが、描画が進むことで描かれる図記号が禁止図に類似しなくなる場合には、出力した代替図を消してもよいし、訂正する情報を出力してもよい。例えば、上述した六芒星の場合、矩形枠と上下に帯状の図形を追加すると、イスラエルの国旗の意味になる。この場合、描画者は国旗の一部として六芒星を描いたことが明らかであるため、情報処理装置１は、描画者端末３に向けて訂正の情報を表示させるための制御信号を出力すればよい。
【００６９】
制御部１１は、描画者端末３及び参加者端末２から受信する制御信号に基づいて会議が終了したか否かを判断する（ステップＳ１１０）。会議が終了したと判断する場合（ステップＳ１１０；ＹＥＳ）、制御部１１は、処理を終了する。会議が終了していないと判断する場合（ステップＳ１１０；ＮＯ）、制御部１１は、処理をステップＳ１０３に戻し、描画情報の取得を続ける。
【００７０】
以上の動作により、情報処理システム９は、描画者が意図せずに描いた図記号が参加者に見せるべきでない禁止図であっても、その禁止図の代替図が示唆されるため、描画者には描いた禁止図を代替図に修正する機会が与えられる。また、描画者が禁止図を修正しなくても、参加者には描画者に悪気がないことが伝わる。そしてこれにより、会議において、参加者が不快な感情を抱いたり描画者の意図を誤解したりする可能性が低減する。
【００７１】
なお、上述した文化圏は、様々な国や宗教、民族、イデオロギー、言語、慣習等に応じたものであるが、専門技術分野に応じたものも含まれる。例えば、描画者の専門分野では一般的に使用される図記号であっても、参加者の専門分野が異なると意味が通じないことがある。この場合でも、上述した情報処理システム９を用いることにより、参加者は、描画者の専門分野で一般的に使用される図記号の代替図を見るため、不理解によって会議が滞ることが防がれる。
【００７２】
また、文化圏は、利用者の趣味又は嗜好を示すものであってもよい。この場合、禁止図は参加者に不快な感情を与えたり誤解されたりする可能性がある図記号でなくてもよい。例えば、情報処理装置１は、描画者の意図した図記号の意味を特定すると、共通の意味で参加者により好まれる図記号である代替図を検索し、この代替図が見つかった場合にはこれを描画者端末３又は参加者端末２に向けて出力してもよい。
【００７３】
２．変形例
以上が実施形態の説明であるが、この実施形態の内容は以下のように変形し得る。また、以下の変形例を組合せてもよい。
【００７４】
２−１．変形例１
上述した実施形態において、情報処理装置１の制御部１１は、特定部１１３として機能することにより、予定ＤＢ１２４を参照して、取得した描画情報により示される描画がされている会議に参加している参加者を特定していたが、会議の開催前に参加者を特定してこの参加者の属する文化圏における禁止図の一覧を描画者端末３に送信してもよい。
【００７５】
２−２．変形例２
上述した実施形態において、情報処理装置１の制御部１１は、特定部１１３として機能することにより描画者により行われた描画を見る参加者（第２利用者）を特定していたが、特定部１１３として機能しなくてもよい。この場合、上述した意味ＤＢ１２２には、文化圏の区別はなくてもよく、図記号ＤＢ１２１に記憶された図記号のいずれが禁止図であるかを示す情報が記憶されていればよい。また、情報処理システム９は、参加者端末２を有しなくてもよい。この場合であっても情報処理システム９は、例えば、どの文化圏に属する参加者に対しても出力すべきでない図記号等を禁止図として処理する。
【００７６】
２−３．変形例３
上述した実施形態において、情報処理装置１の制御部１１は、出力部１１４して機能することにより抽出部１１２により抽出された領域に禁止図（第１記号）と異なる標準代替図（第２記号）を表示させる制御信号を描画者端末３に出力していたが、標準代替図はこの領域に表示させなくてもよい。情報処理装置１は、例えば、この領域から吹き出し線を引いて導いた別の領域に標準代替図を表示させてもよい。
【００７７】
２−４．変形例４
上述した実施形態において、情報処理装置１の制御部１１は、出力部１１４して機能することにより、抽出部１１２により抽出された領域を特定する情報が含まれた制御信号を、通信部１３を介して描画者端末３に送っていたが、参加者端末２に出力してもよい。
【００７８】
例えば、図１に示す通り、複数の参加者端末２を用いてそれらをそれぞれ利用する複数の参加者が会議に参加している場合、情報処理装置１は、参加者端末２を利用する参加者それぞれを特定し、その属する文化圏を特定して、それらの文化圏にそれぞれ応じた禁止図を決定してもよい。そして、情報処理装置１は、参加者端末２ごとに決められた禁止図をそれぞれ対応する代替図に代替させるための制御信号を、参加者端末２にそれぞれ出力してもよい。例えば情報処理装置１は、描画者端末３から取得した描画情報のうち、禁止図に類似する画像が描かれた領域を加工して、参加者端末２に送信してもよい。
【００７９】
この構成により、参加者ごとに禁止図が決まり、参加者のそれぞれが利用する参加者端末２の表示部２４において、代替図が表示されるので、描画者は禁止図を描いたことを認識しなくてもよい。また、参加者は描画者が描いた禁止図の代わりに代替図を見るため、描画者が禁止図を描いたことを認識しない。
【００８０】
この変形例において情報処理システム９は、複数の参加者端末２と、これら参加者端末２のそれぞれと通信する情報処理装置１とを有する情報処理システムである。また、この情報処理システム９における情報処理装置１は、第１利用者により行われた描画を示す描画情報を取得する取得部１１１と、取得したその描画情報から、決められた第１記号に類似する画像が描かれた領域を抽出する抽出部１１２と、抽出された領域を特定する領域情報を出力する出力部１１４と、を有する。
【００８１】
そして、この情報処理システム９における複数の参加者端末２は、それぞれ自端末を利用する第２利用者を特定する利用者情報を情報処理装置１に送信する送信部として機能するとともに、出力部１１４により出力される領域情報を受信する受信部として機能する通信部２３と、受信した領域情報に応じた画像を表示する表示部２４と、を有する。この場合、第１記号は，複数の参加者端末２からそれぞれ送信された利用者情報に基づいて決められる。
【００８２】
２−５．変形例５
上述した実施形態において、情報処理装置１と描画者端末３とは別体であったが、描画者端末３の機能を情報処理装置１が有していてもよい。
【００８３】
また、上述した実施形態において、描画者端末３には、撮像装置５及び映写装置６が接続されていたが、操作部３５及び表示部３４によりこれらの機能を代替してもよい。例えば、描画者端末３は、描画者が操作部３５に対して例えばスタイラスペン等により描いた図記号を検出して描画情報を生成し、この描画情報を情報処理装置１に送信してもよい。また、描画者端末３は、表示部３４により情報処理装置１の指示に応じた代替図を表示してもよい。
【００８４】
２−６．変形例６
情報処理装置１の制御部１１によって実行されるプログラムは、磁気テープや磁気ディスク等の磁気記録媒体、光ディスク等の光記録媒体、光磁気記録媒体、半導体メモリ等の、コンピュータ装置が読取り可能な記録媒体に記憶された状態で提供し得る。また、このプログラムを、インターネット等の通信回線経由でダウンロードさせることも可能である。なお、上記の制御部１１によって例示した制御手段としてはＣＰＵ以外にも種々の装置が適用される場合があり、例えば、専用のプロセッサ等が用いられる。
【符号の説明】
【００８５】
１…情報処理装置、１１…制御部、１１１…取得部、１１２…抽出部、１１３…特定部、１１４…出力部、１２…記憶部、１２１…図記号ＤＢ、１２２…意味ＤＢ、１２３…利用者ＤＢ、１２４…予定ＤＢ、１３…通信部、１４…表示部、１５…操作部、２…参加者端末、２１…制御部、２２…記憶部、２３…通信部、２４…表示部、２５…操作部、３…描画者端末、３１…制御部、３２…記憶部、３３…通信部、３４…表示部、３５…操作部、３６…接続部、４…通信回線、５…撮像装置、６…映写装置、７…スクリーン、９…情報処理システム。
【図１】
2018163442.tif 000003
【図２】
2018163442.tif 000004
【図３】
2018163442.tif 000005
【図４】
2018163442.tif 000006
【図５】
2018163442.tif 000007
【図６】
2018163442.tif 000008
【図７】
2018163442.tif 000009
【図８】
2018163442.tif 000010
【図９】
2018163442.tif 000011
【図１０】
2018163442.tif 000012
【図１１】
2018163442.tif 000013